(57)【特許請求の範囲】
【請求項１】
給油管にポンプ及び流量計を介装し、先端に給油ノズルを設けた給油ホースを給油管に接続し、給油ノズルのノズル掛けにノズルスイッチを設け、油種判断手段及び満タン給油手段を具備した計量機と、各計量機毎に設けられた報知器とより構成された給油装置において、
計量機が設けられた各アイランド上には、遮断腕が設けられた出車防止機が設けられ、建屋内の精算所には精算管理機が設けられ、建屋の外壁等のように各アイランドから見える位置に、計量機番号に対応して状態ランプ及び精算ランプが設けられている給油状態報知器が設けられ、各計量機の上には回転点滅灯が設けられ、
前記給油ノズルがノズル掛けから外されてノズルスイッチが閉じると前記油種判断手段が作動し、油種判断手段が同油種と判断すると前記満タン給油手段が作動し、満タン給油手段が満タンまで給油すると前記報知器が作動し、給油ノズルがノズル掛けに掛けられてノズルスイッチが開くと報知器の作動が停止し、前記油種判断手段が異油種と判断すると前記報知器が作動し、
給油状態報知器の制御部は給油開始信号が入力すると、状態ランプを点灯し、出車防止機の遮断腕を水平に突出し、また、給油終了信号が入力すると、状態ランプを点滅し、回転点滅灯を駆動し、さらに、給油完了信号が入力すると、状態ランプを消灯して精算ランプを点滅し、回転点滅灯を停止し、そして、精算終了信号が入力すると、精算ランプを消灯し、出車防止機の遮断腕を垂下させて引っ込め、また、誤給油信号が入力すると、状態ランプを点滅し、回転点滅灯を駆動し、その後に給油完了信号が入力すると状態ランプを消灯し、回転点滅灯を停止し、出車防止機の遮断腕を垂下させて引っ込めることを特徴とした給油装置。
【発明の詳細な説明】
【０００１】
【発明の属する技術分野】
本発明は、自動車に燃料油を供給する給油装置の改良に関するものである。
【０００２】
【従来の技術】
本出願人は、油種判断手段を設けて異油種の給油を防止した給油装置を、特開平６ー１１５５９８号、特開平８ー１６９４９８号等で提案している。また、満タン給油手段を設けて自動的に満タンまで給油する給油装置を、特開昭５８ー４１０９５号、特開昭６３ー１２５１９６号等で提案している。さらに、給油状態報知器を設けて少人数で効率よく給油作業ができる給油装置を、特開平８ー２５８８９７号等で提案している。これらはそれぞれ有効であるが、別個の給油装置として提案され、全てを組み込んだ給油装置は提案されていない。そして、油種判断手段を設けた給油装置では、異なる油種が給油される虞はないが、満タンまで給油をするには人手により継ぎ足し給油をする必要がある。また、満タン給油手段を設けた給油装置では、自動的に満タンまで給油できるが、異なる油種が給油される虞がある。さらに、給油状態報知器を設けていない給油装置では、多人数の作業員を必要としていた。
【０００３】
【発明が解決しようとする課題】
そこで本発明は、異なった油種が給油される虞がなく、しかも自動的に満タンまで給油でき、さらに少人数で効率よく給油作業ができる給油装置を提供することである。
【０００４】
【課題を解決するための手段】
前記目的を達成するため、本発明は、給油管にポンプ及び流量計を介装し、先端に給油ノズルを設けた給油ホースを給油管に接続し、給油ノズルのノズル掛けにノズルスイッチを設け、油種判断手段及び満タン給油手段を具備した計量機と、各計量機毎に設けられた報知器とより構成された給油装置において、計量機が設けられた各アイランド上には、遮断腕が設けられた出車防止機が設けられ、建屋内の精算所には精算管理機が設けられ、建屋の外壁等のように各アイランドから見える位置に、計量機番号に対応して状態ランプ及び精算ランプが設けられている給油状態報知器が設けられ、各計量機の上には回転点滅灯が設けられ、前記給油ノズルがノズル掛けから外されてノズルスイッチが閉じると前記油種判断手段が作動し、油種判断手段が同油種と判断すると前記満タン給油手段が作動し、満タン給油手段が満タンまで給油すると前記報知器が作動し、給油ノズルがノズル掛けに掛けられてノズルスイッチが開くと報知器の作動が停止し、前記油種判断手段が異油種と判断すると前記報知器が作動し、給油状態報知器の制御部は給油開始信号が入力すると、状態ランプを点灯し、出車防止機の遮断腕を水平に突出し、また、給油終了信号が入力すると、状態ランプを点滅し、回転点滅灯を駆動し、さらに、給油完了信号が入力すると、状態ランプを消灯して精算ランプを点滅し、回転点滅灯を停止し、そして、精算終了信号が入力すると、精算ランプを消灯し、出車防止機の遮断腕を垂下させて引っ込め、また、誤給油信号が入力すると、状態ランプを点滅し、回転点滅灯を駆動し、その後に給油完了信号が入力すると状態ランプを消灯し、回転点滅灯を停止し、出車防止機の遮断腕を垂下させて引っ込めることを要旨とするものである。
【０００５】
本発明によれば、給油管にポンプ及び流量計を介装し、先端に給油ノズルを設けた給油ホースを給油管に接続し、給油ノズルのノズル掛けにノズルスイッチを設け、油種判断手段及び満タン給油手段を具備した計量機と、各計量機毎に設けられた報知器とより構成された給油装置において、前記給油ノズルがノズル掛けから外されてノズルスイッチが閉じると前記油種判断手段が作動し、油種判断手段が同油種と判断すると前記満タン給油手段が作動し、満タン給油手段が満タンまで給油すると前記報知器が作動し、給油ノズルがノズル掛けに掛けられてノズルスイッチが開くと報知器の作動が停止するので、異なった油種が給油される虞がなく、しかも、自動的に満タンまで給油ができる。さらに、満タンまで給油されると報知されるので、少人数の作業員で給油作業が速やかに行われるようになる。
【０００６】
そして、前記油種判断手段が異油種と判断すると前記報知器が作動し、前記ノズルスイッチが開くと報知器の作動が停止するので、正しい油種の再給油作業が速やかに行われるようになる。
【０００７】
【発明の実施の形態】
以下、本発明の実施の形態を説明する。図１、２に示すように、自動車に燃料油を給油する給油所には複数のアイランド１、１が設けられ、各アイランド１上には計量機２及び出車防止機３が設けられている。一方、建屋４内の精算所には精算管理機５が設けられ、建屋４の外壁等のように各アイランド１から見える位置に給油状態報知器６が設けられ、各計量機２の上には回転点滅灯７が設けられている。そして、上述した各機器２、３、５、６、７は、信号線８で接続されている。
【０００８】
アイランド１に設けられた計量機２には、レギュラガソリンとハイオクガソリンと軽油の３油種の給油系統が組み込まれている。各油種の給油系統の給油管２ａには、ポンプ２ｂ、流量計２ｃ、及び制御弁２ｄが介装され、給油管２ａの先端には給油ホース２ｅが接続されている。給油ホースの先端には給油ノズル２ｆが取り付けられ、給油ノズル２ｆのノズル掛け２ｇには、給油ノズル２ｆの掛け外しでオン・オフするノズルスイッチ２ｈが設けられている。
【０００９】
図３に示すように、給油ノズル２ｆの吐出管２ｉの先端には、ベーパ吸引口２ｊと液検知口２ｋが設けられ、給油レバー２ｌを係止するラッチ２ｍが設けられている。
【００１０】
そして、計量機２の制御部２ｎには、油種判断手段２ｐと満タン給油手段２ｑが設けられている。この油種判断手段２ｐは、ベーパ吸引口２ｊから自動車の給油口内のベーパを吸引し、ベーパから油種を判断するようになっている。また、満タン給油手段２ｑは、液検知口２ｋが泡又は液で閉じられると送液を一時停止し、一定時間後に送液を再開し、この工程を数回繰り返して満タンまで給油するようになっている。
【００１１】
さらに、制御部２ｎは、ノズルスイッチ２ｈからオン信号を受けて、表示器２ｒに表示されていた前回の給油量を帰零し、給油開始信号を精算管理機５及び給油状態報知器６へ出力し、油種判断手段２ｐを働かせる。そして、油種判断手段２ｐで油種の一致が確認されるとポンプ２ｂを駆動し、満タン給油手段２ｑを働かせる。また、給油中は流量計２ｃで計量された給油データを表示器２ｒに表示し、給油データを精算管理機５へ出力する。さらに、満タンまで給油されるとポンプ２ｂの駆動を停止し、給油終了信号を精算管理機５及び給油状態報知器６へ出力する。そして、給油ノズル２ｆがノズル掛け２ｇに掛けられてノズルスイッチ２ｈからオフ信号が入力すると、給油完了信号を精算管理機５及び給油状態報知器６へ出力する。また、油種判断手段２ｐで油種の不一致が確認されると誤給油信号を精算管理機５及び給油状態報知器６へ出力し、給油ノズル２ｆがノズル掛け２ｇに掛けられてノズルスイッチ２ｈからオフ信号が入力すると、給油完了信号を精算管理機５及び給油状態報知器６へ出力するようになっている。
【００１２】
アイランド１に設けられている出車防止機３には遮断腕３ａが設けられ、遮断腕３ａが垂下した位置で出車可を示し、水平の位置で出車不可を示すようになっている。
【００１３】
建屋４内の精算所に設けられている精算管理機５には、各計量機２毎にエリア５ａが区画された表示器５ｂ、キーボード５ｃ、プリンタ５ｄ等が設けられている。精算管理機５の制御部５ｅは、計量機２から給油開始信号が入力するとこの計量機２の給油データの管理を開始し、給油完了信号が入力すると、表示器５ｂのエリア５ａに精算待ちの表示をする。そして、キーボード５ｃの精算釦が押されてオン信号が入力すると、プリンタ５ｄから給油伝票を発行し、精算終了信号を給油状態報知器６へ出力し、給油データの管理を終了する。また、誤給油信号が入力した後に給油完了信号が入力すると、給油データの管理を終了するようになっている。
【００１４】
建屋４の外壁等に設けられている給油状態報知器６には、計量機番号６ａに対応して状態ランプ６ｂ及び精算ランプ６ｃが設けられている。そして、給油状態報知器６の制御部６ｄは給油開始信号が入力すると、状態ランプ６ｂを点灯し、出車防止機３の遮断腕３ａを水平に突出する。また、給油終了信号が入力すると、状態ランプ６ｂを点滅し、回転点滅灯７を駆動する。さらに、給油完了信号が入力すると、状態ランプ６ｂを消灯して精算ランプ６ｃを点滅し、回転点滅灯７を停止する。そして、精算終了信号が入力すると、精算ランプ６ｃを消灯し、出車防止機３の遮断腕３ａを垂下させて引っ込める。また、誤給油信号が入力すると、状態ランプ６ｂを点滅し、回転点滅灯７を駆動する。そして、その後に給油完了信号が入力すると状態ランプ６ｂを消灯し、回転点滅灯７を停止し、出車防止機３の遮断腕３ａを垂下させて引っ込めるようになっている。
【００１５】
次に図４乃至６のフロー図に基づいて動作を説明する。計量機２の前に自動車がいないときは、出車防止機３の遮断腕３ａは垂下した位置にあり、給油状態報知器６の状態ランプ６ｂ及び精算ランプ６ｃ、及び回転点滅灯７は消灯している。
【００１６】
給油に来た顧客は、このように空いている計量機２の前に停車する。顧客の自動車が停車したのを見て、作業員は計量機２のところへ行き、顧客が要望した油種の給油ノズル２ｆをノズル掛け２ｇから外し、給油ノズル２ｆを自動車の給油口へ挿入し、給油レバー２ｌを引いてラッチ２ｍに掛ける。
【００１７】
給油ノズル２ｆをノズル掛け２ｇから外してノズルスイッチ２ｈが閉じてオン信号が入力すると（図４  ＳＴ１）、制御部２ｎは表示器２ｒに表示されていた前回の給油量表示を帰零し、信号線８を介して給油開始信号を精算管理機５及び給油状態報知器６へ出力し、油種判断手段２ｐを作動する（図４  ＳＴ２）。そして、精算管理機５の制御部５ｅは給油開始信号を受けて（図５  ＳＴ１）、当該計量機２の給油データの管理を開始する（図５  ＳＴ２）。また、給油状態報知器６の制御部６ｄは給油開始信号を受けて（図６  ＳＴ１）、当該計量機２の状態ランプ６ｂを点灯し、出車防止機３の遮断腕３ａを回動して水平の位置にする（図６  ＳＴ２）。
【００１８】
このように状態ランプ６ｂが点灯して計量機２の使用中が表示され、出車防止機３の遮断腕３ａが突出して給油中に間違えて自動車を発車させることを防止する。
【００１９】
油種判断手段２ｐが作動することにより、給油ノズル２ｆのベーパ吸引口２ｊからベーパが吸引されて油種が判断され、油種が一致していると（図４  ＳＴ３）、ポンプ２ｂが駆動されて給油が開始する（図４  ＳＴ４）。そして、給油が開始すると、満タン給油手段２ｑが作動し、この制御の基に満タンになるまで給油が行われる（図４  ＳＴ５、ＳＴ６）。即ち、給油口内の油面上の泡が給油ノズル２ｆの液面検知口２ｋに至ると給油を中断し、泡が消えると給油を再開する給油工程を複数回行い、油面が液検知口２ｋに至るまで給油をする。
【００２０】
給油中に流量計２ｃで計られた給油量は表示器２ｒに表示され、精算管理機５へ出力される。
【００２１】
そして、油面が液検知口２ｋに至って満タンまで給油されると（図４  ＳＴ６）、ポンプ２ｂが停止し、給油終了信号を給油状態報知器６へ出力する（図４Ｔ７）。給油状態報知器６の制御部６ｄは給油終了信号を受けて（図６  ＳＴ３）、当該計量機２の状態ランプ６ｂを点滅し、回転点滅灯７を駆動する（図６ＳＴ４）。
【００２２】
このように給油ノズル２ｆを給油口に挿入して給油レバー２ｌをラッチ２ｍに掛けると、正しい油種が満タンまで給油され、給油終了は報知されるので、作業員は給油中に他の作業をすることができる。
【００２３】
作業員は状態ランプ６ｂの点滅及び回転点滅灯７の駆動を見て、計量機２の所へ行き、給油ノズル２ｆを給油口から抜いてノズル掛け２ｇに掛けるとノズルスイッチ２ｈがオフし（図４  ＳＴ８）、給油完了信号を精算管理機５及び給油状態報知器６へ出力する（図４  ＳＴ９）。
【００２４】
そして、精算管理機５の制御部５ｅは、給油完了信号を受けて（図５  ＳＴ３）、当該計量機２のエリア５ａに精算待ちの表示をする（図５  ＳＴ４）。また、給油状態報知器６の制御部６ｄは、給油完了信号を受けて（図６  ＳＴ５）、状態ランプ６ｂを消灯して精算ランプ６ｃを点滅し、回転点滅灯７を停止する（図６  ＳＴ６）。
【００２５】
このようにして給油が完了したならば、顧客は建屋４内の精算所へ行き給油料金の精算をする。事務員が精算管理機５のキーボード５ｃの精算釦を押すと（図５  ＳＴ５）、プリンタ５ｄより給油伝票が発行され、精算終了信号を給油状態報知器６へ出力し、この計量機２の給油データの管理を終了する（図５  ＳＴ６）。
【００２６】
給油状態報知器６の制御部６ｄは、精算終了信号を受けて（図６  ＳＴ７）、精算ランプ６ｃを消灯し、出車防止機３の遮断腕３ａを回動して垂下する（図６ＳＴ８）。
【００２７】
このように精算が終わるまでは、給油状態報知器６の精算ランプ６ｃが点滅し続け、出車防止機３の遮断腕３ａが水平に突出しているので、精算をしないで出車されることが防止できる。
【００２８】
また、油種判断手段２ｐによる判断が、油種不一致であると（図４  ＳＴ１０）、計量機２の制御部２ｎは誤給油信号を精算管理機５及び給油状態報知器６へ出力する（図４  Ｔ１１）。給油状態報知器６の制御部６ｄは誤給油信号を受けて（図６  ＳＴ９）、当該計量機２の状態ランプ６ｂを点滅し、回転点滅灯７を駆動する（図６  ＳＴ１０）。
【００２９】
作業員は状態ランプ６ｂの点滅及び回転点滅灯７の駆動を見て、計量機２の所へ行き、給油ノズル２ｆを給油口から抜いてノズル掛け２ｇに掛けるとノズルスイッチ２ｈがオフし（図４  ＳＴ１２）、給油完了信号を精算管理機５及び給油状態報知器６へ出力する（図４  ＳＴ１３）。
【００３０】
そして、精算管理機５の制御部５ｅは、誤給油信号を受けた後に（図５  ＳＴ７）、給油完了信号を受けて（図５  ＳＴ８）、給油データの管理を終了する（図５  ＳＴ９）。また、給油状態報知器６の制御部６ｄは、給油完了信号を受けて（図６  ＳＴ１１）、状態ランプ６ｂを消灯し、回転点滅灯７を停止し、出車防止機３の遮断腕３ａを回動して垂下する（図６  ＳＴ１２）。
【００３１】
この場合には、正しい油種の給油ノズル２ｆをノズル掛け２ｇから外して、あらためて給油をする。
【００３２】
【発明の効果】
以上説明したように本発明の給油装置は、給油管にポンプ及び流量計を介装し、先端に給油ノズルを設けた給油ホースを給油管に接続し、給油ノズルのノズル掛けにノズルスイッチを設け、油種判断手段及び満タン給油手段を具備した計量機と、各計量機毎に設けられた報知器とより構成された給油装置において、前記給油ノズルがノズル掛けから外されてノズルスイッチが閉じると前記油種判断手段が作動し、油種判断手段が同油種と判断すると前記満タン給油手段が作動し、満タン給油手段が満タンまで給油すると前記報知器が作動し、給油ノズルがノズル掛けに掛けられてノズルスイッチが開くと報知器の作動が停止するので、異なった油種が給油される虞がなく、しかも、自動的に満タンまで給油ができる。さらに、満タンまで給油されると報知されるので、少人数の作業員で給油作業が速やかに行われるようになる。
【図面の簡単な説明】
【図１】本発明の給油装置を実施した給油所の平面図である。
【図２】本発明の給油装置の一部を断面で示す斜視図である。
【図３】本発明の給油装置に使用される給油ノズルの斜視図である。
【図４】計量機の制御部のフロー図である。
【図５】精算管理機の制御部のフロー図である。
【図６】給油状態報知器の制御部のフロー図である。
【符号の説明】
１  アイランド
２  計量機
２ａ  給油管
２ｂ  ポンプ
２ｃ  流量計
２ｄ  制御弁
２ｅ  給油ホース
２ｆ  給油ノズル
２ｇ  ノズル掛け
２ｈ  ノズルスイッチ
２ｉ  吐出管
２ｊ  ベーパ吸引口
２ｋ  液検知口
２ｌ  給油レバー
２ｍ  ラッチ
２ｎ  制御部
２ｐ  油種判断手段
２ｑ  満タン給油手段
２ｒ  表示器
３  出車防止機
３ａ  遮断腕
４  建屋
５  精算管理機
５ａ  エリア
５ｂ  表示器
５ｃ  キーボード
５ｄ  プリンタ
５ｅ  制御部
６  給油状態報知器
６ａ  計量機番号
６ｂ  状態ランプ
６ｃ  精算ランプ
６ｄ  制御部
７  回転点滅灯
８  信号線
【図１】
0003972474.tif 000002
【図２】
0003972474.tif 000003
【図３】
0003972474.tif 000004
【図４】
0003972474.tif 000005
【図５】
0003972474.tif 000006
【図６】
0003972474.tif 000007